(57)【要約】      （修正有）【課題】三方枠の縦枠への組立作業性を向上し、意匠性に優れたエレベータ用ホールランタンを提供する。【解決手段】エレベータの乗りかごの到着を知らせる照光体６と、この照光体６を照明する指向性の高い光源７と、この照光体６及び光源７を収納するボックス８と、このボックス８の開口部を覆うカバー９と、前記光源７を前記カバー９へ取り付けるためのＬ字プレート１０から成るホールランタンであって、エレベータ乗り場における三方枠の縦枠３ｂへ取り付けるものにおいて、前記照光体６を前記ボックス８に、前記光源７は前記Ｌ字プレート１０を介し前記カバー９に取り付け、この光源７を直線状に多数配列して前記照光体６に垂直に照射させることにより、各部品を一体構造とすることで組立作業性の向上を図りつつ、光ムラの少ないホールランタンを実現する。【選択図】図１
2011051709.tif 000002
【特許請求の範囲】
【請求項１】
エレベータ乗り場における三方枠の縦枠に設置され、エレベータ乗りかごの到着を知らせるエレベータ用ホールランタンにおいて、
上記三方枠の縦枠から露出され、エレベータ乗り場に乗りかごの到着を知らせる照光体と、
上記照光体を照明する光源と、
上記照光体を突出させて固定すると共に、当該照光体を照明する光源を収納するボックスと、
当該ボックスの開口部を覆い、かつ当該ボックス内に収納される上記光源を固定するカバーと、
を備えたことを特徴とするエレベータ用ホールランタン。
【請求項２】
請求項１において、前記照光体は前記三方枠の縦枠に沿って設置される直方体とし、前記光源は上記直方体に対向して配置される複数のLEDランプで構成したことを特徴とするエレベータ用ホールランタン。
【請求項３】
請求項２において、前記複数のLEDランプは、その発光部が前記照光体と対向するようにL字状金具を介して前記カバーに固定したことを特徴とするエレベータ用ホールランタン。
【請求項４】
請求項２において、前記複数のLEDランプは直線状に多数配置して成り、前記三方枠の縦枠に設置された際に、上半分のLEDランプで上昇方向の乗りかごの到着、下半分のLEDランプで下降方向の乗りかごの到着を夫々表示可能としたことを特徴とするエレベータ用ホールランタン。
【請求項５】
請求項１〜４のいずれかにおいて、前記ボックスは、前記照光体及びカバーを当該ボックスに固定した状態で、前記三方枠の縦枠に取り付け可能としたことを特徴とするエレベータ用ホールランタン。
【発明の詳細な説明】
【技術分野】
【０００１】
本発明は、エレベータ乗りかごの到着を利用客に知らせるホールランタンに係り、特にエレベータ乗り場の三方枠に設置されるホールランタンの改良に関するものである。
【背景技術】
【０００２】
エレベータの乗り場には、エレベータの到着を前もって知らせるホールランタンが設置されることが多く、端階以外の階ではそのサービス方向をも知らせるよう構成されている。
【０００３】
図９に本発明を適用したエレベータ乗り場の一例を示す。１は乗り場壁、２は乗り場出入口戸、３は乗り場出入口の上部及び左右に設けられている三方枠であり、この三方枠３は上部に位置する上枠３ａと左右に位置する縦枠３ｂ及び３ｃから構成されている。乗り場呼びボタン４に応答し、乗りかごが到着する際には、縦枠３ｂの上部に設けられたホールランタン５が点灯し、エレベータ利用客に予め乗りかごの到着を知らせることで、エレベータサービスの利便性を高めている。
【０００４】
この縦枠３ｂに設けるタイプの従来のホールランタンは、例えば特許文献１で提案されており、その平断面図を図１０に示す。図に示すように、照光体６０、光源７０、ボックス８０、カバー９０から成り、光源７０の交換作業性を考慮して、カバー９０を開閉するための蝶番８２及び取っ手８３が設けられている。また、照光体６０は乗り場側から縦枠３ｂへ挿入し、縦枠３ｂの補強材３ｄに取り付けたボルト８1で固定し、ボックス８０の一部は昇降路側より補強材３ｄに直接溶接しているため設計自由度が少なく、さらに乗り場側と昇降路側の２方向での作業が発生するため組立作業も困難であった。
【０００５】
加えて、光源７０の交換作業においては、暗く狭いスペースで蝶番８２を介してカバー９０を開閉させ、手探りの状態で交換しているため作業性が悪かった。
【０００６】
また、図１０の構造において、指向性の高い光源、例えばLEDを採用した場合、照光体６０の一部分のみの照明となって、照光体６０全体を点灯させることが困難となるため、意匠性を損なう恐れがあった。
【先行技術文献】
【特許文献】
【０００７】
【特許文献１】特開２００５-１１９７６２号公報
【発明の概要】
【発明が解決しようとする課題】
【０００８】
前述した従来の縦枠３ｂへ取り付けられるエレベータ用ホールランタンは、縦枠３ｂへの組立作業時に乗り場側、昇降路側の２方向からの作業が発生し、また各部品が独立して組み立てられているため組立作業が困難であった。
【０００９】
また、本構造に指向性の高い光源、例えばLEDを採用した場合、光ムラが大きくなって、意匠性を損なうことも予想される。
【００１０】
本発明は、前述した従来技術に鑑みて成されたもので、その主な目的とするところは、エレベータ乗り場に設けられた三方枠の縦枠に設置する場合の組立作業性に優れ、光源の交換作業等が容易なエレベータ用ホールランタンを提供することにある。
【００１１】
本発明の他の目的は、上記目的に加えて、意匠性に優れたエレベータ用ホールランタンを提供することにある。
【課題を解決するための手段】
【００１２】
上記主な目的を達成するための本発明の特徴は、三方枠の縦枠から露出されエレベータ乗り場に乗りかごの到着を知らせる照光体と、この照光体を照明する光源とを備え、この照光体をボックスの一部から突出させて固定すると共に、このボックスの開口部を覆うカバーに上記光源を固定することで、このボックス及びカバーとで一体となって、三方枠の縦枠に昇降路側からホールランタンの組立を可能としたところにある。
【００１３】
上記他の目的を達成するための本発明の特徴は、前記照光体を前記三方枠の縦枠に沿って設置される直方体とし、この直方体に対向して多数のLEDランプを配置することで光ムラを低減すると共に、上下にホールランタンを構成する場合も連続性のある均質な照光を可能にしたところにある。
【００１４】
その他の目的及び特徴については、以下述べる実施例で詳述する。
【発明の効果】
【００１５】
本発明によれば、縦枠へのホールランタンの組立作業を昇降路側からの１方向から行うことができるため、組立作業性、更には光源の交換作業性を向上することができる。
【００１６】
さらに本発明の他の特徴によれば、縦枠での光ムラを低減し、上昇及び下降方向のランタンを連続配置する場合であっても意匠性に優れたエレベータ用ホールランタンを実現することができる。
【図面の簡単な説明】
【００１７】
【図１】本発明のエレベータ用ホールランタンの一実施例を示す平断面図である。
【図２】本発明のエレベータ用ホールランタンの一実施例に係る斜視図である。
【図３】本発明のエレベータ用ホールランタンの一実施例に係る側面図である。
【図４】本発明のエレベータ用ホールランタンの一実施例に係る正面図である。
【図５】本発明の一実施例に係るエレベータ用ホールランタンの取り付け方法を示す平面図である。
【図６】本発明の一実施例に係るエレベータ用ホールランタンの照光体を示す平断面図である。
【図７】本発明のエレベータ用ホールランタンの他の実施例に係る照光体の平断面図である。
【図８】本発明の一実施例に係るホールランタンのカバー取り外し方法を示す平断面図である。
【図９】本発明を適用したエレベータ乗り場の一例を示す正面図である。
【図１０】従来のエレベータ用ホールランタンの平断面図である。
【発明を実施するための形態】
【００１８】
以下、本発明に係るエレベータ用ホールランタンの実施の形態を、図示する実施例に基づいて説明する。
【実施例１】
【００１９】
図１は本発明のエレベータ用ホールランタンの一実施例を示す平断面図、図２は図１のホールランタン部の斜視図、図３は図１の実施例の側面図、図４は図１の実施例の正面図である。なお、本実施例に係るホールランタンをエレベータ乗り場に設置した例は、先に図１０で説明した通りである。
【００２０】
図１〜４に示すように、三方枠３の縦枠３ｂに取り付けられるエレベータ用ホールランタンは、エレベータの乗りかご（図示なし）の到着を知らせる際に照光する照光体６と、照光体６を照明するための指向性の高い光源７、例えばLEDと、照光体６及び光源７を収納するためのボックス８と、ボックス８の開口部を覆うカバー９と、光源７をカバー９に取り付けるためのＬ字プレート１０を一体構造とすることで、設計自由度を向上させている。
【００２１】
このようにホールランタンを一体構造とすることで、ホールランタンを取り付ける場合は、乗り場壁１及び縦枠３ｂ部へ挿入するだけでホールランタン５の組み立てを完了することができ、昇降路側からの作業のみとすることができる。
【００２２】
特に、本実施例では光源７としてLEDを用い、図２に示すように、直方体に形成された照光体６に対向して、多数のLEDを配置することで構成しているので、光ムラを軽減することができ、上昇方向及び下降方向の照光体を連続的に配置した場合も光ムラが無く、均質な照光で意匠性にも優れた案内を行うことができる。
【００２３】
また、図６に示すように、照光体６と光源７の配置を垂直にすることにより、ボックス８の薄型化及び軽量化が図ることができる。従って、ホールランタン５の取り付けを、縦枠補強材３ｄに取り付けたボルト１１のみの片持ち固定とすることができる。さらに、固定用ボルト１１は縦枠補強材３ｄに溶接等で取り付けるため、三方枠３の意匠性を損なうことはない。
【００２４】
図５に、本実施例のホールランタンの取り付け方法を示す。図５から容易に理解されるように、一体構造であるホールランタン５を縦枠３ｂ裏面より乗り場側へ挿入し、補強材３ｄにボックス８が面で接するように回転させ、補強材３ｄに取り付けてある固定用ボルト１１にて固定するのみで完了となる。
【００２５】
また、照光体６の光ムラを最小限に抑える構造として、指向性の高い光源７は照光体６に垂直に照射させることが有効であるため、照光部６２に図６のような切欠き６１を形成し、光源７を照光部６２から5〜25 mmの位置に配置させる構造とする。さらに、照光体６には乳白色のアクリルブロックを採用し、照光部６２及び意匠面以外には遮光塗料を塗布（図６の二点鎖線部）することで、より一層の光ムラ低減を図っている。ここで、光源７と照光体６の位置関係を5〜25 mmと記載したが、本構造は光源７と照光体６の距離を10〜20 mmとすることで光ムラ低減効果を最大に発揮する構造としており、光源７を最適な位置に取り付けるため、Ｌ字プレート１０を介しカバー９へ取り付けている。
【００２６】
図８を用いて、光源７の交換作業について説明する。照光体６をボックス８に、光源７をカバー９に取り付け、カバー９はボックス８から取り外せる構造としているため、暗く、狭いスペースである縦枠３ｂ裏面（昇降路側）においても、カバー９を取り外して手元での交換作業を可能とし、作業効率の向上を図っている。
【実施例２】
【００２７】
前記実施例１では、光源７と照光体６の位置関係を垂直としたが、ホールランタンの形状によってはこのような位置関係が難しい場合も考えられる。図７はこの場合の変形例で、照光体６に図のような切欠き反射面６１を形成し、照光体６の側面６２を光源７で照射し、切欠き反射部６１で反射させることで、照光体６の表面には光ムラを低減した照光を実現させることが可能である。
【００２８】
この他、光源７及び照光体６の位置関係は適宜変更する事ができるが、照光体６の表面の光ムラを低減し、意匠性を向上するには、前記したように多数のLEDを連続的に配置し、少なくとも照光体６の内部では照光体６の表面に向けて垂直照射する領域を設けることが好ましい。
【符号の説明】
【００２９】
１・・・乗り場壁
３・・・三方枠
３ａ・・・上枠
３ｂ，３ｃ・・・    縦枠
３ｄ・・・縦枠補強材
４・・・乗り場ボタン
５・・・ホールランタン
６・・・照光体
７・・・光源
８・・・ホールランタンボックス
９・・・ホールランタンカバー
１０・・・光源取り付け用Ｌ字プレート
１１・・・ボックス固定用ボルト
【図１】
2011051709.tif 000003
【図２】
2011051709.tif 000004
【図３】
2011051709.tif 000005
【図４】
2011051709.tif 000006
【図５】
2011051709.tif 000007
【図６】
2011051709.tif 000008
【図７】
2011051709.tif 000009
【図８】
2011051709.tif 000010
【図９】
2011051709.tif 000011
【図１０】
2011051709.tif 000012